(57)【要約】      （修正有）【課題】各種端末装置が備える各種寸法や解像度の表示画面に商品の画像を実寸大で表示させるさせることができる画像情報処理装置及び画像情報処理方法を提供する。【解決手段】画像情報処理装置１０は、閲覧者端末２０から送信された端末識別情報に基づいて端末情報データベース４０から閲覧者端末２０に関する識別情報を取得し、この閲覧者端末２０に関する識別情報に基づいて、閲覧者端末２０の表示画面に関するデータを出力すると共に、閲覧者端末２０から送信された閲覧画像の識別情報に基づいて、画像情報データベース５０から画像のデータ及び当該画像に関する情報を取得し、これら表示画面に関するデータと画像に関する情報とに基づいて、閲覧者端末２０の表示画面上の実寸法と画像に掲載された商品（掲載物）の実寸法との関係を求め、この関係を用いて、閲覧者端末２０の表示画面に商品の画像を当該商品の実寸法で表示させる制御を行う。【選択図】図６
2018077747.tif 000002
【特許請求の範囲】
【請求項１】
閲覧者端末に提供する画像に関する情報を処理する画像情報処理装置であって、
前記閲覧者端末に提供する画像のデータ及び当該画像に関する情報が格納された画像情報データベースと、
前記閲覧者端末に関する情報が格納された端末情報データベースと、
前記閲覧者端末から送信された当該閲覧者端末を識別するための識別情報に基づいて、前記端末情報データベースから前記閲覧者端末に関する情報を取得する端末情報取得部と、
前記閲覧者端末に関する情報に基づいて、前記閲覧者端末の表示画面に関するデータを出力する表示画面データ出力部と、
前記閲覧者端末から送信された閲覧画像を識別するための識別情報に基づいて、前記画像情報データベースから前記閲覧画像のデータ及び当該閲覧画像に関する情報を取得する画像情報取得部と、
前記表示画面に関するデータと前記閲覧画像に関する情報とに基づいて、前記閲覧者端末の表示画面上の実寸法と前記画像に掲載された掲載物の実寸法との関係を求める寸法補正部と、
前記寸法補正部で求めた関係を用いて、前記閲覧者端末の表示画面に前記掲載物の画像を当該掲載物の実寸法で表示させるためのデータを生成する画像表示データ生成部と、を備える
ことを特徴とする画像情報処理装置。
【請求項２】
前記端末情報取得部で取得する前記閲覧者端末に関する情報は、前記閲覧者端末の表示画面の寸法及び解像度の情報である
ことを特徴とする請求項１に記載の画像情報処理装置。
【請求項３】
前記表示画面データ出力部で出力する前記表示画面に関するデータは、前記表示画面の幅寸法と水平方向解像度の比、及び高さ寸法と垂直方向解像度の比のデータである
ことを特徴とする請求項１又は２に記載の画像情報処理装置。
【請求項４】
前記画像情報取得部で取得する前記画像に関する情報は、前記画像の解像度の情報と、前記画像上の任意の２点の座標の情報と、前記２点間の距離の情報である
ことを特徴とする請求項１乃至３のいずれか１項に記載の画像情報処理装置。
【請求項５】
閲覧者端末に提供する画像の情報を処理する画像情報処理方法であって、
前記閲覧者端末から送信された当該閲覧者端末の識別情報に基づいて、前記閲覧者端末に関する情報が格納された端末情報データベースから前記閲覧者端末に関する情報を取得するステップと、
前記閲覧者端末に関する情報に基づいて、前記閲覧者端末の表示画面に関するデータを出力するステップと、
前記閲覧者端末から送信された閲覧画像の識別情報に基づいて、前記画像情報データベースから前記閲覧画像のデータ及び当該閲覧画像に関する情報を取得するステップと、
前記表示画面に関するデータと前記閲覧画像に関する情報とに基づいて、前記閲覧者端末の表示画面上の実寸法と前記画像に掲載された掲載物の実寸法との関係を求めるステップと、
当該関係を用いて、前記閲覧者端末の表示画面に前記掲載物の画像を当該掲載物の実寸法で表示させるためのデータを生成するステップと、を有することを特徴とする画像情報処理方法。
【請求項６】
前記閲覧者端末に関する情報は、前記閲覧者端末の表示画面の寸法及び解像度の情報である
ことを特徴とする請求項５に記載の画像情報処理方法。
【請求項７】
前記表示画面に関するデータは、前記表示画面の幅寸法と水平方向解像度の比、及び高さ寸法と垂直方向解像度の比のデータである
ことを特徴とする請求項５又は６に記載の画像情報処理方法。
【請求項８】
前記画像に関する情報は、前記画像の解像度の情報と、前記画像上の任意の２点の座標の情報と、前記２点間の距離の情報である
ことを特徴とする請求項５乃至７のいずれか１項に記載の画像情報処理方法。
【発明の詳細な説明】
【技術分野】
【０００１】
本発明は、インターネットなどの通信ネットワークを介して接続された各種端末装置の表示画面で閲覧される写真などの画像に関する情報の処理を行うための画像情報処理装置及び画像情報処理方法に関する。
【０００２】
従来から、デジタルカメラなどで撮影した画像をパーソナルコンピュータの画面やタブレット及びスマートフォンなど携帯型の端末装置の画面に表示させることが一般的に行われている。また、例えば特許文献１に示すように、インターネットなどの通信ネットワークを利用して商品の販売を行う販売者は、ブラウザソフトやアプリケーションソフトを介して販売する商品の写真などの画像を利用者の端末装置の表示画面に表示（掲載）している。そして、商品の購入を希望する者は、ブラウザソフトや各種のアプリケーションソフトなどによって自身の端末装置の画面に表示された商品の写真などの画像を見て商品を選択することが広く一般に行われている。
【０００３】
これらの場合、各種端末装置の表示画面に表示される写真の寸法や写真上の商品の寸法は、端末装置の画面の大きさや解像度に合わせた寸法となる。そのため、画面上に表示される商品の寸法は、現物の実寸法（実寸大）とは異なる寸法となることが通常である。
【０００４】
したがって、利用者が購入する商品を選択する際、端末装置の画面に表示された写真を見ただけではその商品の寸法を正確にイメージできない場合が多くある。そのため、購入した商品が手元に届いた時点で、イメージとかけ離れた寸法である場合も少なくない。このように、現状では端末装置の画面に表示された写真を見て購入する商品を選択する場合、その商品の実際の寸法を正確に把握できないことで、利用者が不適切な寸法の商品を誤って購入してしまうという不都合があった。また、ウェブサイトなどで商品を販売する販売者にとっても、商品の寸法のイメージを購入者に正確に伝える手段が無かったことで、商品販売の機会を逸失している場合が少なくないと考えられる。そこで、各種端末装置が備える各種寸法の表示画面に商品の写真などの画像を当該商品の実寸大で表示させる手段があれば、これらの問題を解消することができると考えられる。
【先行技術文献】
【特許文献】
【０００５】
【特許文献１】特開２００９−１８７３０３号公報
【発明の概要】
【発明が解決しようとする課題】
【０００６】
本発明は上述の点に鑑みてなされたものであり、その目的は、各種端末装置が備える各種寸法の表示画面に掲載物の写真などの画像を当該掲載物の実寸大で表示させることができる画像情報処理装置及び画像情報処理方法を提供することにある。
【課題を解決するための手段】
【０００７】
上記課題を解決するため、本発明にかかる画像情報処理装置は、閲覧者端末（２０）に提供する画像に関する情報を処理する画像情報処理装置（１０）であって、閲覧者端末（２０）に提供する画像のデータ及び当該画像に関する情報が格納された画像情報データベース（５０）と、閲覧者端末（２０）に関する情報が格納された端末情報データベース（４０）と、閲覧者端末（２０）から送信された当該閲覧者端末（２０）を識別するための識別情報に基づいて、端末情報データベース（４０）から閲覧者端末（２０）に関する情報を取得する端末情報取得部（１１）と、閲覧者端末（２０）に関する情報に基づいて、閲覧者端末（２０）の表示画面に関するデータを出力する表示画面データ出力部（１１）と、閲覧者端末（２０）から送信された閲覧画像を識別するための識別情報に基づいて、画像情報データベース（５０）から閲覧画像のデータ及び当該閲覧画像に関する情報を取得する画像情報取得部（１１）と、表示画面に関するデータと閲覧画像に関する情報とに基づいて、閲覧者端末（２０）の表示画面上の実寸法と画像に掲載された掲載物の実寸法との関係を求める寸法補正部（１１）と、上記寸法補正部（１１）で求めた関係を用いて、閲覧者端末（２０）の表示画面に掲載物の画像を当該掲載物の実寸法で表示させるためのデータを生成する画像表示データ生成部（１１）と、を備えることを特徴とする。
【０００８】
本発明にかかる画像情報処理装置によれば、上記の画像情報データベース、端末情報データベース、端末情報取得部、表示画面データ出力部、画像情報取得部、寸法補正部、画像表示データ生成部の各部を備えることで、各種の端末装置が備える寸法や解像度が異なる各種の表示画面に対して、掲載物の写真などの画像を当該掲載物の実寸大で表示させることができるようになる。これにより、閲覧者端末で画像を閲覧した者が画像に掲載された掲載物の寸法を正確に把握することができるようになる。したがって、例えば、商品販売のウェブサイトなどに商品の写真画像を掲載する場合、閲覧者端末の表示画面に商品の画像を実寸大で表示させることができるので、閲覧者（購入者）が正確な大きさの商品を確実に選択できるようになる。これにより、誤った寸法の商品を購入するおそれがなくなる。また、販売者側にとっても購入者に商品の大きさを正確に伝えることができるので、商品販売の機会を効果的に増やすことができる。
【０００９】
また、この画像情報処理装置では、端末情報取得部（１１）で取得する閲覧者端末（２０）に関する情報は、閲覧者端末（２０）の表示画面の寸法（幅寸法（ＷＤ）と高さ寸法（ＨＤ））及び解像度（水平方向解像度（ＷＤＰ）と垂直方向解像度（ＨＤＰ））の情報であってよい。また、表示画面データ出力部（１１）で出力する表示画面に関するデータは、表示画面の幅寸法（ＷＤ）と水平方向解像度（ＷＤＰ）の比（ＲＤＷ＝ＷＤ／ＷＤＰ）、及び高さ寸法（ＨＤ）と垂直方向解像度（ＨＤＰ）の比（ＲＤＨ＝ＨＤ／ＨＤＰ）のデータであってよい。さらに、画像情報取得部（１１）で取得する画像に関する情報は、画像の解像度（Ｗ１，Ｈ１）の情報と、画像上の任意の２点の座標（（Ｘａ，Ｙａ），（Ｘｂ，Ｙｂ））の情報と、２点間の距離（Ｄ）の情報であってよい。
【００１０】
これらの閲覧者端末に関する情報、表示画面に関するデータ、画像に関する情報などを用いることで、閲覧者端末の表示画面に対象物の画像を原寸大で表示させることを容易かつ確実に行うことができるようになる。また、画像の提供者にとっては、あらかじめ画像に関する上記の情報を提供すれば、画像に掲載された掲載物を実寸大で閲覧者端末の表示画面に表示させることができるようになるので、手間がかからずより簡易に掲載物の実寸大表示を実現することができる。
【００１１】
また、本発明にかかる画像情報処理方法は、閲覧者端末（２０）に提供する画像の情報を処理する画像情報処理方法（１０）であって、閲覧者端末（２０）から送信された当該閲覧者端末の識別情報に基づいて、閲覧者端末（２０）に関する情報が格納された端末情報データベース（４０）から閲覧者端末（２０）に関する情報を取得するステップ（ＳＴ１−３）と、閲覧者端末（２０）に関する情報に基づいて、閲覧者端末（２０）の表示画面に関するデータを出力するステップ（ＳＴ１−４）と、閲覧者端末（２０）から送信された閲覧画像の識別情報に基づいて、画像情報データベース（５０）から閲覧画像のデータ及び当該閲覧画像に関する情報を取得するステップ（ＳＴ２−２）と、表示画面に関するデータと閲覧画像に関する情報とに基づいて、閲覧者端末（２０）の表示画面上の実寸法と画像に掲載された掲載物の実寸法との関係を求めるステップ（ＳＴ２−３）と、当該関係を用いて、閲覧者端末（２０）の表示画面に掲載物の画像を当該掲載物の実寸法で表示させるためのデータを生成するステップ（ＳＴ３−１）と、を有することを特徴とする。
【００１２】
また、この画像情報処理方法では、閲覧者端末（２０）に関する情報は、閲覧者端末（２０）の表示画面の幅寸法（ＷＤ）と高さ寸法（ＨＤ）及び水平方向解像度（ＷＤＰ）と垂直方向解像度（ＨＤＰ）の情報であってよい。また、表示画面に関するデータは、表示画面の幅寸法（ＷＤ）と水平方向解像度（ＷＤＰ）の比（ＲＤＷ＝ＷＤ／ＷＤＰ）、及び高さ寸法（ＨＤ）と垂直方向解像度（ＨＤＰ）の比（ＲＤＨ＝ＨＤ／ＨＤＰ）のデータであってよい。さらに、画像に関する情報は、画像の解像度（Ｗ１，Ｈ１）の情報と、画像上の任意の２点の座標（（Ｘａ，Ｙａ），（Ｘｂ，Ｙｂ））の情報と、２点間の距離（Ｄ）の情報であってよい。
【発明の効果】
【００１３】
本発明にかかる画像情報処理装置及び画像情報処理方法によれば、各種の端末装置が備える寸法や解像度が異なる各種の表示画面に対して、掲載物の写真などの画像を当該掲載物の実寸法で表示させることができる。
【図面の簡単な説明】
【００１４】
【図１】本発明の一実施形態にかかる画像情報処理装置を含むシステムの全体構成例を示す図である。
【図２】画像情報処理装置の構成を示すブロック図である。
【図３】端末情報データベースに格納された閲覧者端末に関する情報（データ）を示す図である。
【図４】画像情報データベースに格納された画像に関する情報（データ）を示す図である。
【図５】画像情報処理装置による画像情報の処理（閲覧者端末の表示画面に画像を実寸法で表示させるための処理）の流れを示すフローチャートである。
【図６】閲覧者端末、情報処理サーバ、画像情報データベース及び端末情報データベース間でのデータのやり取りを示す図である。
【発明を実施するための形態】
【００１５】
以下、添付図面を参照して本発明の実施形態を詳細に説明する。図１は、本発明の一実施形態にかかる画像情報処理装置を含むシステムの全体構成例を示す図である。図１に示す画像情報処理装置１０を含むシステム１は、インターネットなどの通信ネットワーク（以下、単に通信ネットワークという。）３０に接続された画像情報処理装置１０及び複数の閲覧者端末２０（２０−１，２０−２）と、画像情報処理装置１０との間でデータの授受が可能な端末情報データベース４０及び画像情報データベース５０を備えて構成されている。
【００１６】
図２は、画像情報処理装置１０の構成例を示すブロック図である。同図に示す画像情報処理装置（画像情報処理サーバ）１０は、通信ネットワーク３０に接続されたコンピュータであり、制御部（制御手段）１１、記憶部（記憶手段）１２、ディスプレイなどの表示部（表示手段）１３、入力装置（入力手段）１４、データ送受信部１５を備えている。なお、画像情報処理装置１０としては、上記のうち制御部１１と記憶部１２とデータ送受信部１５を少なくとも備えていれば、その他の構成要素（表示部１３、入力装置１４）は必須ではなく、これらは必ずしも備えていなくてもよい。
【００１７】
制御部１１は、画像情報処理装置１０を動作させるための各種処理を実行するための部分であり、マイクロプロセッサ、各種周辺回路等によって構成される。一般的には、市販のＰＣ等の制御部に、ソフトウエアやアプリケーションをインストールしたものであり、記憶部１２等もこれらの機器に一体的に構成されている。
【００１８】
また、下記で詳細に説明するが、上記の制御部１１又は記憶部１２は、閲覧者端末２０から送信された閲覧者端末２０の識別情報に基づいて、端末情報データベース４０から閲覧者端末２０に関する情報を取得する端末情報取得部としての機能や、閲覧者端末２０に関する情報に基づいて、閲覧者端末２０の表示画面に関するデータを出力する表示画面データ出力部としての機能や、閲覧者端末２０から送信された画像の識別情報に基づいて、画像情報データベース５０から画像のデータ及び画像に関する情報を取得する画像情報取得部としての機能や、この出力したデータと画像に関する情報とに基づいて、閲覧者端末２０の表示画面上の実寸法と画像に掲載された商品の実寸法との関係を求める寸法補正部としての機能や、当該関係を用いて閲覧者端末２０の表示画面に商品の画像を当該商品の実寸法で表示させるためのデータを生成する画像表示データ生成部としての機能など、本発明にかかる画像情報処理装置が備える各種の機能を有している。
【００１９】
記憶部１２は、ハードディスク、フラッシュメモリ等の記憶媒体であり、将来的に開発される記憶媒体を含む。記憶部１２には、画像データなどの各種データが記憶されている。記憶部１２に記憶されているデータは、必要に応じて制御部１１により記憶部１２から読み出され、制御部１１が実行する様々な処理や制御に利用される。また、制御部１１は、記憶部１２に新たなデータを記憶したり既に記憶されているデータを更新することもできる。
【００２０】
ディスプレイ（表示部）１３は、様々な画像や映像等を表示するための装置であり、液晶ディスプレイ等が用いられる。
【００２１】
入力装置１４は、画像情報処理装置１０を動作させるためにオペレーターから入力される各種操作を検出するための装置であり、各種の入力手段（タッチパネル、ＧＵＩ、キーボード、音声認識装置）を備えている。オペレーターは、入力装置１４を操作することにより、画像情報処理装置１０で行われる閲覧者端末２０の表示画面に商品（掲載物）の画像をその実寸大で表示させるための制御に必要な各種の操作を行うことができる。
【００２２】
データ送受信部１５は、制御部１１や記憶部１２から入力した各種データを含むデータ信号等を通信ネットワーク３０を介して閲覧者端末２０などに対して送受信したり、無線や有線の近距離通信手段などを介して画像情報データベース５０や端末情報データベース４０との間でデータを送受信するものである。このデータ送受信部１５は、後述する閲覧者端末２０の表示画面に商品（掲載物）の画像を当該商品の実寸法で表示させるためのデータなどを送信する機能を有する。また、データ送受信部１５は、後述する閲覧者端末２０の識別情報などのデータを閲覧者端末２０から受信する機能を有する。
【００２３】
図１に戻り、閲覧者端末２０（２０−１，２０−２）は、通信ネットワーク３０を介して画像情報処理装置１０との間でデータ通信を行う機能を有する端末装置であり、例えば、スマートフォンやタブレットなどディスプレイ（表示画面）一体型の電子機器であってよい。なおここでは、閲覧者端末２０の例として、タブレット端末２０−１や携帯型コンピュータ（ＰＣ）端末２０−２を図示している。閲覧者端末２０は、通信ネットワークを介して受信したデータに関する情報をブラウザソフトやアプリケーションソフトを用いて表示させるための表示画面を有している。この閲覧者端末２０が有する表示画面は、各閲覧者端末２０ごとにその外形寸法や画面の解像度が異なるものである。
【００２４】
図３は、端末情報データベース４０に格納された閲覧者端末２０に関する情報のデータを示す図である。同図に示すように、端末情報データベース４０は、多種類の閲覧者端末２０に関する情報が格納されたデータベースである。この端末情報データベース４０には、各閲覧者端末２０を識別するための番号（識別番号）などの識別情報のほか、以下の（１）〜（４）の情報が格納されている。（１）各閲覧者端末２０の表示画面の幅寸法ＷＤのデータ。（２）各閲覧者端末２０の表示画面の高さ寸法ＨＤのデータ。（３）各閲覧者端末２０の表示画面の水平方向解像度ＷＤＰのデータ。（４）各閲覧者端末２０の表示画面の垂直方向解像度ＨＤＰのデータ。これらの情報が閲覧者端末２０の機種ごとの情報として蓄積されている。なおここでは、表示画面の幅寸法ＷＤおよび高さ寸法ＨＤの単位はｍｍであり、水平方向解像度ＷＤＰと垂直方向解像度ＨＤＰの単位はｐｘ（ピクセル）である。
【００２５】
画像情報データベース５０は、商品を掲載した多数の画像、及び当該画像に関する情報が格納されたデータベースである。ここでいう商品とは、閲覧者端末２０に提供する写真などの画像に掲載された掲載物である。既述のように、画像情報データベース５０は、画像情報処理装置１０に有線または無線の通信手段等で接続されており、画像情報処理装置１０との間でデータの授受を行うことができるように構成されている。あるいは、画像情報データベース５０と画像情報処理装置１０は通信ネットワーク３０を介してデータの授受を行うように構成されていてもよい。
【００２６】
図４は、画像情報データベース５０に格納された画像に関する情報のデータを示す図である。同図に示すように、画像情報データベース５０には、商品６０の画像を識別するための番号（識別番号）などの識別情報のほか、少なくとも以下の（１）〜（４）の情報が格納されている。（１）商品６０が掲載された写真など画像５０ａのデータ。（２）当該画像５０の水平方向解像度Ｗ１及び垂直方向解像度Ｈ１のデータ。（３）当該画像５０上の任意の２点の座標データ。すなわち、画像５０上の２点をそれぞれＡ点、Ｂ点とすると、それぞれの座標は、（Ｘａ，Ｙａ），（Ｘｂ，Ｙｂ）とすることができる。なお、ここでは画像５０における商品６０が表示されている領域内の２点の座標データとする。（４）上記の２点間の実際の距離Ｄのデータ。これは実際の商品６０上の２点間の距離のデータである。
【００２７】
ここで、本実施形態の画像情報処理装置１０で行われる画像情報処理（閲覧者端末２０の表示画面に商品６０の画像を実寸法で表示させるための処理）について説明する。図５は、画像情報処理装置１０による画像情報処理の流れを示すフローチャートである。また、図６は、閲覧者端末２０、画像情報処理装置１０、端末情報データベース４０及び画像情報データベース５０の間でのデータのやり取りを示す図である。
【００２８】
〇閲覧者端末の画面情報（ＲＤ）の算出（ステップＳＴ１）
まず、閲覧者が利用している閲覧者端末２０から画像情報処理装置１０に対して、当該閲覧者端末２０を識別するための文字列などの端末識別情報（データ）が送信され、画像情報処理装置１０は、閲覧者端末２０から送られたこの端末識別情報を受信する（ステップＳＴ１−１）。続けて、画像情報処理装置１０は、この端末識別情報を用いて、端末情報データベース４０から閲覧者端末２０に関するデータを取得する（ステップＳＴ１−２）。詳細には、画像情報処理装置１０は端末情報データベース４０に対して端末識別情報を送信し（ステップＳＴ１−２ａ）、端末情報データベース４０は受信した端末識別情報を基にデータベースを検索することで該当する端末に関するデータを呼び出し（ステップＳＴ１−２ｃ）、当該情報を画像情報処理装置１０に送信する（ステップＳＴ１−２ｃ）。ここでいう閲覧者端末２０に関するデータには、図３に示す閲覧者端末２０の表示画面の幅寸法ＷＤと高さ寸法ＨＤのデータ、及び水平方向解像度ＷＤＰと垂直方向解像度ＨＤＰのデータが含まれる。
【００２９】
次に、画像情報処理装置１０は、閲覧者端末２０の表示画面に関するデータを算出（出力）する（ステップＳＴ１−４）。具体的には、上記の閲覧者端末２０に関するデータを用いて、表示画面における幅寸法ＷＤと水平方向解像度ＷＤＰの比ＲＤＷ（＝ＷＤ／ＷＤＰ）、及び高さ寸法ＨＤと垂直方向解像度ＨＤＰの比ＲＤＨ（＝ＨＤ／ＨＤＰ）を算出する。これらＲＤＷとＲＤＨは、閲覧者端末２０の表示画面上の１ピクセルが何ミリメートルに相当するのかを示す値である。なお、通常の端末装置の表示画面では、ピクセルが正方形である場合が多く、その場合にはＲＤＷとＲＤＨが一致する。そのためここでは、説明を簡単にするために、ＲＤ＝ＲＤＷ＝ＲＤＨとまとめて定義することとする。
【００３０】
〇寸法補正のための関係（Ｒ１）の算出（ステップＳＴ２）
一方、閲覧者が利用している閲覧者端末２０で閲覧したい商品が掲載された画像のサムネイルを選択するなどして、当該画像に関する情報が入力されると、閲覧者端末２０から画像情報処理装置１０に対して、当該画像（実寸大で閲覧したい画像）を識別するための文字列などの画像識別情報が送信され、画像情報処理装置１０は、閲覧者端末２０から送られたこの画像識別情報を受信する（ステップＳＴ２−１）。画像情報処理装置１０は、この画像識別情報を元に画像情報データベース５０に問い合わせをすることで、画像情報データベース５０から、当該画像のデータ、及び画像に掲載された商品に関する情報のデータを取得する（ステップＳＴ２−２）。詳細には、画像情報処理装置１０は画像情報データベース５０に対して画像識別情報を送信し（ステップＳＴ２−２ａ）、画像情報データベース５０は受信した画像識別情報を基にデータベースを検索することで該当する画像のデータおよび当該画像に関するデータを呼び出し（ステップＳＴ２−２ｂ）、当該データを画像情報処理装置１０に送信する（ステップＳＴ２−２ｃ）。
【００３１】
ここで取得するデータは、図６に示すように、商品が掲載された画像のデータと、当該画像の水平方向解像度Ｗ１のデータと、当該画像の垂直方向解像度Ｈ１のデータと、当該画像上の２点（Ａ点、Ｂ点）の座標（Ｘａ，Ｙａ），（Ｘｂ，Ｙｂ）のデータと、これら２点（Ａ点、Ｂ点）間の距離Ｄのデータ、である。
【００３２】
その後、画像情報処理装置１０は、商品が掲載された画像上の寸法と商品上の実寸法との関係（寸法補正のための関係）を算出（出力）する（ステップＳＴ２−３）。具体的には、商品が掲載された画像上の１ピクセルが商品上の何ミリメールに相当するかを示す値ＲＩを算出する。このＲＩは次の（式１）で求められる。
【数１】
2018077747.tif 000003
【００３３】
〇閲覧者端末の画面情報（ＲＤ）と寸法補正のための関係（Ｒ１）の比較（ステップＳＴ３）
そして、画像情報処理装置１０は、上記で求めたＲＤの値とＲＩの値を用いて閲覧者端末２０の表示画面に商品の画像を実寸法で表示させる（ステップＳＴ３−１）。詳細には、画像情報処理装置１０から閲覧者端末２０に商品の画像を実寸法で表示させるためのデータを送信し（ＳＴ３−１ａ）、閲覧者端末２０は、画像情報処理装置１０から送信された当該データに基づいて表示画面に商品の画像を実寸大で表示する（ＳＴ３−１ｂ）。
【００３４】
すなわちここでは、ＲＤ＝ＲＩであれば、画像をそのまま等倍表示すれば閲覧者端末２０の表示画面に実寸法で商品の画像を表示することができる。一方、ＲＤ＞ＲＩであれば、画像を拡大して表示する必要があり、ＲＤ＜ＲＩであれば、画像を縮小して表示する必要がある。具体的には、Ｊ＝ＲＤ／ＲＩと定義すると、画像データの水平方向解像度Ｗ１、垂直方向解像度Ｈ１であるとき、閲覧者端末２０の表示画面に物品の画像を実寸法で表示するには、水平方向解像度をＪ×Ｗ１、垂直方向解像度をＪ×Ｈ１とすればよい。こうして閲覧者端末２０の表示画面に商品の画像を実寸大で表示させることができる。
【００３５】
なお、図示は省略するが、上記の手順で閲覧者端末２０の表示画面に商品の画像を実寸法で表示させる際、表示画面における商品の画像の横に実寸の目盛を表示するようにしてもよい。当該目盛の表示があれば実寸法で表示された商品の寸法を閲覧者がより迅速且つ正確に把握できるようになり便利である。また、表示画面がタッチパネル式の入力機能を備えた表示画面である場合には、当該表示画面に商品の画像を実寸法で表示させる際、閲覧者が当該商品の画像上の任意の二点に触れることでその二点間の距離が画面の隅など任意の位置に表示されるようにすることも可能である。これによれば、商品上の任意の２点間の寸法をより簡易かつ正確に把握することができるようになる。
【００３６】
以上説明したように、本実施形態の画像情報処理装置１０は、インターネット（通信ネットワーク）３０を介して閲覧者端末２０に提供する画像に関する情報を処理する画像情報処理装置１０であって、閲覧者端末２０に提供する画像のデータ及び当該画像に関する情報が格納された画像情報データベース５０と、閲覧者端末２０に関する情報が格納された端末情報データベース４０とを備えると共に、制御部１１の機能的要素として、閲覧者端末２０から送信された端末識別情報に基づいて、端末情報データベース４０から閲覧者端末２０に関する情報を取得する端末情報取得部と、閲覧者端末２０に関する情報に基づいて、閲覧者端末２０の表示画面に関するデータを出力する表示画面データ出力部と、閲覧者端末２０から送信された画像の識別情報に基づいて、画像情報データベース５０から画像のデータ及び当該画像に関する情報を取得する画像情報取得部と、表示画面データ出力部が出力したデータと画像に関する情報とに基づいて、閲覧者端末２０の表示画面上の実寸法と画像に掲載された商品の実寸法との関係を求める寸法補正部と、寸法補正部で求めた関係を用いて、閲覧者端末２０の表示画面に商品の画像をその実寸法で表示させるためのデータを生成する画像表示データ生成部とを備える。
【００３７】
本実施形態の画像情報処理装置１０によれば、寸法や解像度が異なる各種の端末装置の表示画面に対して、商品（掲載物）の写真などの画像をその実寸大（原寸大）で表示させることができる。これにより、閲覧者端末２０で画像を閲覧した者が当該画像に掲載された商品の寸法を正確に把握することができるようになる。したがって、例えば商品販売のウェブサイトなどで商品の写真画像を掲載する場合、閲覧者端末２０に商品の画像が実寸大（原寸大）で表示されるようになるので、閲覧者（購入者）が正確な大きさの商品を容易かつ確実に選択できるようになり、商品の寸法を誤って購入するおそれがなくなる。また、販売者側にとっても購入者に商品の大きさを正確に伝えることができるようになるので、商品販売の機会を効果的に増やすことができる。
【００３８】
すなわち、従来は、インターネット上のコミュニケーションにおいて閲覧者端末の画面に表示された商品の実際のサイズ感を把握することは困難であったが、本実施形態の画像情報処理装置１０によれば、閲覧者端末２０で画像を閲覧する閲覧者のメリットとして、商品の実際のサイズ感を閲覧者端末２０の表示画面に表示された画像に基づいて正確に把握できるようになる。また、画像に表示された商品のサイズを手元の現物などと比較することも可能となる。
【００３９】
また、インターネットブラウザには、端末装置を識別する情報や端末装置を識別するヒントとなる情報をサーバに自動的に送る機能が備わっている。したがって、上記の端末識別情報を閲覧者端末２０から画像情報処理装置１０に送信するための機能として当該機能を利用すれば、閲覧者端末２０があらかじめ登録してある種類の端末であれば、閲覧者は特別な操作や準備を行う必要なく、本実施形態にかかる画像情報処理装置１０による実寸大表示の機能を利用することが可能となる。
【００４０】
また、画像提供者のメリットとして、商品などの画像を提供する際、画像上の任意の二点を指定し、その二点間の寸法を入力するだけで、登録済みのあらゆる端末の表示画面で商品の実寸法表示が可能になる。したがって、簡単な手順で商品の寸法を閲覧者に正確に伝えることが可能となる。
【００４１】
また、この画像情報処理装置１０では、閲覧者端末２０の表示画面に関するデータは、表示画面の幅寸法ＷＤと高さ寸法ＨＤのデータ、及び水平方向解像度ＷＤＰと垂直方向解像度ＨＤＰのデータである。また、表示画面に関して算出（出力）する値は、表示画面の幅寸法ＷＤと水平方向解像度ＷＤＰの比ＲＤＷ（＝ＷＤ／ＷＤＰ）、及び高さ寸法ＨＤと垂直方向解像度ＨＤＰの比ＲＤＨ（＝ＨＤ／ＨＤＰ）である。さらに、画像に関するデータは、画像の解像度Ｗ１，Ｈ１のデータと、画像上の任意の２点の座標（Ｘａ，Ｙａ），（Ｘｂ，Ｙｂ）のデータと、これら２点間の距離Ｄの情報である。
【００４２】
これらの閲覧者端末２０の表示画面に関する寸法及び解像度のデータ、表示画面に関するデータ、画像に関するデータを用いることで、商品を閲覧者端末２０の表示画面に実寸法で表示させることを容易かつ確実に行うことができるようになる。
【００４３】
また、画像の提供者にとっては、画像上の任意の２点の座標（Ｘａ，Ｙａ），（Ｘｂ，Ｙｂ）のデータと、これら２点間の距離Ｄのデータをあらかじめ提供することで画像に掲載された商品を実寸大で閲覧者端末２０の表示画面に表示させることができるので、手間がかからずより簡単に商品の実寸大表示を実現することができる。
【００４４】
以上、本発明の実施の形態を説明したが、本発明は上記実施の形態に限定されるものではなく、特許請求の範囲、及び明細書と図面に記載された技術的思想の範囲内において種々の変形が可能である。例えば、上記実施形態では、本発明にかかる画像情報処理装置を用いて商品の画像を実寸大表示する場合を説明したが、本発明にかかる画像処理装置で実寸大表示を行う画像に掲載した掲載物は、商品には限られず他の物であってもよい。
【００４５】
また、上記実施形態では、端末情報データベース４０及び画像情報データベース５０は画像情報処理装置１０や閲覧者端末２０とは別の構成要素（別体の記憶装置など）として設けられている場合を示したが、これ以外にも、端末情報データベース４０及び画像情報データベース５０は、例えば画像情報処理装置１０から閲覧者端末２０にダウンロードしてインストールするアプリケーション（実寸大表示をするための機能を有するアプリケーション）に含まれているように構成してもよい。その場合は、閲覧者端末２０で当該アプリケーションを起動して実寸大表示を行う際に、アプリケーションに含まれる端末情報データベース４０及び画像情報データベース５０から端末に関する情報や画像に関する情報を呼び出すようにすればよい。
【符号の説明】
【００４６】
１０    画像情報処理装置
１１    制御部
１２    記憶部
１３    表示部（ディスプレイ）
１４    入力装置
１５    データ送受信部
２０    閲覧者端末
３０    通信ネットワーク（インターネット）
４０    端末情報データベース
５０    画像情報データベース
５０ａ    画像
６０    商品（掲載物）
【図１】
2018077747.tif 000004
【図２】
2018077747.tif 000005
【図３】
2018077747.tif 000006
【図４】
2018077747.tif 000007
【図５】
2018077747.tif 000008
【図６】
2018077747.tif 000009